(57)【要約】【課題】従来の扇風機は前方に転倒した場合に電動機が破損するのを防止するため、ガードと電動機軸の距離を十分にとり、電動機軸の先端が床に直接衝突しないように設計する必要があった。そのため、薄型の扇風機デザインが困難になり、意匠デザインに制約があった。【解決手段】貫通孔を有するガードと、このガードの貫通孔を覆う覆い部と、この覆い部に前記ガードの貫通孔を介して対向すると共に電動機の電動機軸の先端に設けられた回転部とを有し、前記ガードの貫通孔は、前記回転部を前記電動機軸の軸方向に移動させることにより前記貫通孔の内縁に接触するまで挿入したと仮定した場合に、前記回転部が前記覆い部に接触しないような径を備えて構成した。【選択図】          図１
2005016429.tif 000002
【特許請求の範囲】
【請求項１】
貫通孔を有するガードと、このガードの貫通孔を覆う覆い部と、この覆い部に前記ガードの貫通孔を介して対向すると共に電動機の電動機軸の先端に設けられた回転部とを有し、前記ガードの貫通孔は、前記回転部を前記電動機軸の軸方向に移動させることにより前記貫通孔の内縁に接触するまで挿入したと仮定した場合に、前記回転部が前記覆い部に接触しないような径を備えることを特徴とする送風機。
【請求項２】
電動機によって回転する電動機軸の先端に設けられた回転部と、この回転部に対向して保持され、貫通孔を有するガードと、このガードからみて前記回転部と逆方向に保持され、前記貫通孔を覆う覆い部とを備え、前記貫通孔は、仮に前記ガードと前記回転部が接近し、前記回転部が前記貫通孔内縁に接触した場合でも前記回転部が前記覆い部に接触しない径を備えることを特徴とする送風機。
【請求項３】
ガードの貫通孔の形状が略円形型であることを特徴とする請求項１又は請求項２のいずれかに記載の送風機。
【請求項４】
ガードの貫通孔にヒダを有することを特徴とする請求項１又は請求項２のいずれかに記載の送風機。
【請求項５】
回転部が覆い部側に凸型であることを特徴とする請求項１又は請求項２のいずれかに記載の送風機。
【請求項６】
回転部が覆い部側に円錐台であることを特徴とする請求項１又は請求項２のいずれかに記載の送風機。
【請求項７】
覆い部が回転部と反対側に凸型であることを特徴とする請求項１又は請求項２のいずれかに記載の送風機。
【請求項８】
覆い部とガードの間に緩衝材を有することを特徴とする請求項１又は請求項２のいずれかに記載の送風機。
【請求項９】
ガードは平な板と、この平な板の外側に設けられた線材とを備え、貫通孔は前記平な板に設けられたことを特徴とする請求項１又は請求項２のいずれかに記載の送風機。
【発明の詳細な説明】
【０００１】
【発明の属する技術分野】
この発明は、電動機の回転部の先端に設けられた回転部とこの回転部を保護するガードを備えた送風機に関する。
【０００２】
【従来の技術】
従来の送風機においては、回転部とそのガードは、送風機が落下、転倒等した場合であっても回転部を保護するために、回転部とガードの距離を十分にとる構成にしている（例えば、特許文献１、特許文献２、特許文献３参照）
【０００３】
【特許文献１】
特開２００１−１２３８２号公報（第１図、第７図）
【０００４】
【特許文献２】
特公平７−３３２２８６号公報（第１図、第３図）
【０００５】
【特許文献３】
実公平４−６２３９４号公報（第１図）
【０００６】
【発明が解決しようとする課題】
従来の扇風機は前方に転倒した場合、まずガードが床等に衝突する。ここで、仮に、ガードと電動機軸の先端との間の距離が、短かいと、ガードが床等に衝突した直後、電動機７全体の有する質量による慣性によって、電動機の電動機軸の先端がこのガードの内面に更に衝突するおそれがある。
【０００７】
この場合、ガードを介して電動機軸に直接衝撃が加わることとなり、電動機が破損するおそれがある。このため、従来の扇風機では、ガードと電動機軸の距離を十分にとり、電動機軸の先端が床に直接衝突しないように設計する必要がある。
そのため、薄型の扇風機デザインが困難になり、意匠デザインが制約されるという問題点がある。
【０００８】
この発明は、上記のような課題を解決するためになされたもので、扇風機が転倒したとき電動機軸が床から直接衝撃を受けないようにすると共に、扇風機を薄くし、意匠デザインの制約を軽減することを目的とする。
【０００９】
【課題を解決するための手段】
この発明にかかる送風機は、貫通孔を有するガードと、このガードの貫通孔を覆う覆い部と、この覆い部にガードの貫通孔を介して対向すると共に電動機の電動機軸の先端に設けられた回転部とを有し、ガードの貫通孔は、回転部を電動機軸の軸方向に移動させることにより貫通孔の内縁に接触するまで挿入したと仮定した場合に、回転部が覆い部に接触しないような径を備えて構成される。
【発明の実施の形態】
【００１０】
発明の実施の形態１
図１はこの発明の実施の形態の一つである扇風機１００の断面図である。図２は図１に示した扇風機１００の前面ガード１の拡大図である。但し、図２は図１における化粧パネル５を説明のために省略している。
【００１１】
図１に示すように、扇風機１００には貫通孔を有するガードの例である前面ガード１が設けられている。図２に示すように、前面ガード１は、中心から放射状に複数の線材である線鋼が延びた線鋼材部１ｂとこの線鋼材部１ｂの中央に溶接固定された平な板であるガードプレート３とによって構成される。ガードプレート３には貫通孔３ａが設けられている。
また、図１に示すように、ガードプレート３の貫通孔３ａは、覆い部の例である、化粧パネル５によって扇風機１００の前面側から覆われる。この化粧パネル５は扇風機１００前側、すなわち回転部と反対側に凸型の形状を備える。また、前面ガード１は、外輪１ａ、後側ガード９を介して扇風機１００の筐体１０１に固定される。筐体１０１内には、電動機７が一部収容される。この電動機７は電動機軸８を回転させる。電動機軸８の先には、羽６が設けられている。羽６は、羽６の回転面の中央が電動機軸８に貫通される。なお、羽６は、前面ガード１、外輪１ａ、後側ガード９によって保護される。また、羽６は、電動機軸８の先端に設けられた回転部の例である羽締付ナット２によって電動機軸８に固定される。
ここで、羽締付ナット２はガードプレート３の貫通孔３ａを介して化粧パネル５に対向するところに位置する。
【００１２】
以上の構成は、別の表現によれば、以下のように説明することができる。
すなわち、扇風機１００の電動機７によって回転する電動機軸８の先端には、回転部の例である羽締付ナット２が設けられる。また、この羽締付ナット２に対向して貫通孔を有するガードの例である前面ガード１が設けられている。この前面ガード１は、線鋼材部１ｂとこの線鋼材部１ｂの中央に溶接固定されたガードプレート３とによって構成される。ガードプレート３には貫通孔３ａが設けられている。また、ガードプレート３の貫通孔３ａは、覆い部の例であり、扇風機１００の前側に凸型の化粧パネル５によって、電動機７側の逆側、すなわち扇風機１００の前面から覆われる。
【００１３】
続いて、図３から図５を用いて、この実施の形態にかかる扇風機１００の要部について説明する。図３は図１における発明の要部を拡大して図示したものである。図４は図３における化粧パネル５とガードプレート３について拡大して図示したものである。図５は図４におけるガードプレート３を正面から図示したものである。
【００１４】
図３に示すようにガードプレート３はその外周縁を溶接により線鋼材部１ｂに固定される。図４に示すようにガードプレート３には爪固定用穴３ｂが設けられている。一方、化粧プレート５には扇風機１００の後側、すなわち羽締付ナット２に向かって突出すると共に先端に爪を有する爪固定部５ａが設けられる。この爪固定部５ａがガードプレート３の爪固定穴用穴３ｂに挿し込まれることにより、化粧プレート５は前面ガード１に固定される。又図５に示すように、ガードプレート３は略中央に略円形の貫通孔３ａを有するドーナツ形状に構成される。
【００１５】
次に貫通孔３ａの径ｄ１について説明する。径ｄ１は、羽締付ナット２を電動機軸８の軸方向に移動させることにより、羽締付ナット２が、貫通孔３ａの内縁に接触するまで挿入したと仮定した場合に、羽締付ナット２が化粧パネル５に接触しないような長さを有する。
【００１６】
この径ｄ１は別の表現をすれば、ガードプレート３と羽締付ナット２が接近し、この羽締付ナット２が貫通孔３ａに接触した場合でも、羽締付ナット２が化粧パネル５に接触しないような長さを有する。
【００１７】
続いて、図６から図８を用いて上述の扇風機１００が転倒した場合の動作について説明する。図６は、扇風機１００が床２００に衝突した瞬間の様子を示す図である。図７は図６の状態から微小時間経過後の様子を示す図である。図８は図７の状態から更に、微小時間が経過した後の様子を示す図である。
【００１８】
図６に示すように扇風機１００が床２００に衝突した瞬間においては、羽締付ナット２からガードプレート３までの距離は、扇風機１００が転倒する前、すなわち平常時における扇風機１００の状態と同じである。また、前面ガード１、化粧パネル５の形状も平常時の扇風機１００の状態と同じである。しかしながら、図６に示す状態の直後には、電動機７などの質量による慣性によって、前面ガード１がたわむと共に、ガードプレート３と羽締付ナット２との距離が縮まる。
【００１９】
更に、微小時間が経過した後の、図７に示す状態では、羽締付ナット２がガードプレート３の内縁に接触する状態に至る。しかしながら、この状態では、上述のように、羽締付ナット２と化粧パネル５とが接触しないように貫通孔３ａの径ｄ１が設計されているため、羽締付ナット２が化粧パネル５を介して床２００に接触することはない。
【００２０】
更に、微小時間が経過した後の、図８に示す状態では、前面ガード１と化粧パネル５のうち、少なくとも化粧パネル５が変形することによって、羽締付ナット２が、化粧パネル５を介して間接的に床２００に接触する。
【００２１】
即ち、この実施の形態では、化粧パネル５と回転部２との間に貫通孔３ａを有する前面ガード１が設けられる。このため、万一扇風機１００が転倒したとしても、図７に示すように、羽締付ナット２が直接化粧パネル５に衝突せず、ガードプレート３の貫通孔３ａの円状の縁によって、ワンクッションを経るので、衝突の衝撃を分散させることができる。
【００２２】
更に、図７の状態から図８の状態における変化においては、化粧パネル５が変形することによって電動機７が受ける衝撃が吸収されながら、羽締付ナット２が化粧パネル５に当たる。このため、転倒時の電動機７が受ける衝撃を緩和することができる。
【００２３】
なお、この実施の形態では、回転部の例として、羽締付ナット２を挙げて説明した。しかし、この発明の回転部は、羽締付ナット２に限定されるものではなく、羽締付ナット２と羽６が一体となっている場合には、一体となった羽締付ナット２及び羽６が回転部に該当する。
【００２４】
また、この実施の形態では、貫通孔を有するガードの例として、線鋼材１ｂ及びガードプレート３からなるものを挙げて説明した。しかし、この発明はこれに限定されるものではなく、線鋼材１ｂ及びガードプレート３とが一体として構成されるもの、前記ガードがプラスチックで構成されているもの、前記ガードが格子状の線鋼材で構成されているもの等を含む。
また、ガードプレート３は平な板に限定されるものではないが平な板とした場合には、羽締付ナット２がバランス良く貫通孔に接触することができる。そのため、ガードプレート３と羽締付ナットが接触する際の衝撃が緩和される。
【００２５】
また、この実施の形態では、送風機の例として、扇風機１００を挙げて説明した。しかし、この発明はこれに限定されるものではなく扇風機以外の送風機にも適用できる。
【００２６】
実施の形態２
また、実施の形態１では、図４で示すように、化粧パネル５とガードプレート３の間には何の物質もはいっていない。これに対して、本実施の形態では、図９に示すように、化粧パネル５とガードプレート３の間に、緩衝材３００が設けられる。
【００２７】
扇風機１００が転倒した場合、図６から図７の状態へ移行するが、電動機７などの質量による慣性により羽締付ナット２がガードプレート３の貫通孔３ａに接触する。しかし、この実施の形態では、緩衝材３００が存在することにより、その両者が接触する際の衝撃が緩和される。また、図７から図８の状態へ移行する場合にも、緩衝材３００が衝撃を吸収しながら化粧パネル５が変形することにより、電動機７が受ける衝撃が緩和される。
【００２８】
なお、この実施の形態では、上記実施の形態と同一また相当する部分については同一の符号を付する等して説明を省略し、異なる部分についてのみ説明した。
【００２９】
実施の形態３
また、実施の形態１では、ガードプレート３は略中央に貫通孔３ａを有するドーナツ形状に構成されている。これに対して、本実施の形態では、図１０に示すようにドーナツ形状の貫通孔３ａを有するガードプレート３にヒダ４００を付け加える。
【００３０】
扇風機１００が転倒した場合、電動機７などの質量による慣性により羽締付ナット２がガードプレート３に衝突する。ここで、ガードプレート３にヒダ４００が存在することによって、羽締付ナット２がまず、ガードプレート３のヒダ４００に衝突する。この場合、ヒダ４００が羽締付ナット２とガードプレート３の衝突の緩衝材としての役割を果たす。そして、羽締付ナット２が直接化粧パネル５に衝突せず、ガードプレート３のヒダ４００のついた貫通孔３ａの縁によって、ワンクッションを経ることができる。このため、より一層衝撃が軽減できる。
【００３１】
なお、この実施の形態では、上記実施の形態と同一また相当する部分については同一の符号を付する等して説明を省略し、異なる部分についてのみ説明した。
【００３２】
【実施の形態４】
また、実施の形態１では、羽締付ナット２の形状は、図１からもわかるように、化粧パネル５方向に凸型である。これに対して、図１１に示すように、化粧パネル５方向に円錐台である場合も想定される。このように、羽締付ナット２を円錐台とした場合にも、羽締付ナット２が直接化粧パネル５に衝突せず、ガードプレート３の貫通孔３ａの縁によってワンクッションを経ることができるので衝突の衝撃を分散させることができる。
【００３３】
なお、この実施の形態では、上記実施の形態と同一または相当する部分については同一の符号を付する等して説明を省略し、異なる部分についてのみ説明した。
【００３４】
【発明の効果】
この発明にかかる送風機は、貫通孔を有するガードと、このガードの貫通孔を覆う覆い部と、この覆い部にガードの貫通孔を介して対向すると共に電動機の電動機軸の先端に設けられた回転部とを有し、ガードの貫通孔は、回転部を電動機軸の軸方向に移動させることにより貫通孔の内縁に接触するまで挿入したと仮定した場合に、回転部が覆い部に接触しないような径を備えて構成されるものであり、薄型の扇風機デザインが可能である。
【図面の簡単な説明】
【図１】この発明の実施の形態１を示す扇風機の断面図である。
【図２】この発明の実施の形態１を示す扇風機の前面ガード１の拡大図である。
【図３】図１における発明の要部を拡大して図示したものである。
【図４】図３における化粧パネル５とガードプレート３について拡大図示したものである。
【図５】図４におけるガードプレート３を正面から図示したものである。
【図６】扇風機１００が床２００に転倒した瞬間の様子を示す図である。
【図７】図６の状態から更に、微小時間が経過した後の様子を示す図である。
【図８】図７の状態から更に、微小時間が経過した後の様子を示す図である。
【図９】化粧パネル５とガードプレート３の間に緩衝材が設けられた状態の図である。
【図１０】ヒダ４００を付け加えたガードプレート３を示す図である。
【図１１】形状が化粧パネル方向に円錐台型をした羽締付ナットを示す図である。
【符号の説明】
１      前面ガード
１ａ        外輪
１ｂ        線鋼材
２      羽締付ナット
３      ガードプレート
３ａ        貫通孔
３ｂ        爪固定穴
５      化粧パネル
５ａ        固定爪
６      羽
７      電動機
８      電動機軸
９      後側ガード
１００  扇風機
１０１  筐体
２００  床
３００  緩衝材
４００  ヒダ
ｄ１      径
【図１】
2005016429.tif 000003
【図２】
2005016429.tif 000004
【図３】
2005016429.tif 000005
【図４】
2005016429.tif 000006
【図５】
2005016429.tif 000007
【図６】
2005016429.tif 000008
【図７】
2005016429.tif 000009
【図８】
2005016429.tif 000010
【図９】
2005016429.tif 000011
【図１０】
2005016429.tif 000012
【図１１】
2005016429.tif 000013